(57)【要約】【課題】高い視認性と強度を両立させた包装箱を提供する。【解決手段】包装箱１は、頂面２、底面３および側面４、５、６、７を備える。ここで、頂面２は、包装箱１を販売場所に陳列展示するときに、上になる面であり、底面３は下になる面である。また、側面４、５、６、７は、頂面２と底面３の間にあって、両者を連結する面である。また、包装箱１は、切り抜き窓８を備えている。切り抜き窓８は、側面５から始まり、側面５と側面６の境界の辺（側面５と側面６が共有する辺）を越えて、側面６に達し、側面５および側面６に開口している。【選択図】図１
2011105321.tif 000002
【特許請求の範囲】
【請求項１】
一枚の板紙から組み立てられて六面体状をなすとともに、切り抜き窓を有する包装箱において、
前記切り抜き窓は、前記六面体のいずれか１の面に開口するとともに、前記１の面のいずれかの辺を越えて、前記辺を前記１の面と共有する第２の面まで連続して開口している、
ことを特徴とする包装箱。
【請求項２】
前記切り抜き窓は、さらに、前記第２の面のいずれかの辺を越えて、前記辺を前記第２の面と共有する第３の面まで連続して開口するとともに、
前記１の面と前記第２の面が共有する辺と、前記第２の面と前記第３の面が共有する辺は互いに平行である、
ことを特徴とする請求項１に記載の包装箱。
【請求項３】
前記六面体は、前記包装箱を陳列展示する場合に、上方に位置する頂面、下方に位置する底面、および前記頂面と前記底面を連結する４面の側面からなるとともに、
前記切り抜き窓は、前記側面に開口する、
ことを特徴とする請求項１または２に記載の包装箱。
【請求項４】
前記４面の側面のそれぞれの下方には、前記側面と一辺を共有する蓋片があって、
前記蓋片は、互いに係合して前記底面を形成している、
ことを特徴とする請求項３に記載の包装箱。
【請求項５】
前記側面は、順に並ぶ第１ないし第４の側面からなり、
前記第１の側面に連続する糊代を、前記第４の側面に重ねて、前記糊代を前記第４の側面に接着している、
ことを特徴とする請求項３に記載の包装箱。
【請求項６】
前記側面のいずれか１面は、前記頂面を越えて、前記頂面の上方に伸びるヘッダー部を形成するとともに、
前記ヘッダー部には、フック穴が開口している、
ことを特徴とする請求項３に記載の包装箱。
【請求項７】
前記ヘッダー部は、折り返されて、前記板紙が２枚重ねられる、
ことを特徴とする請求項６に記載の包装箱。
【請求項８】
前記切り抜き窓は、透明フィルムでカバーされている、
ことを特徴とする請求項１または２に記載の包装箱。
【発明の詳細な説明】
【技術分野】
【０００１】
本発明は、包装箱、特に、長尺の蛍光灯照明器具を収容する包装箱に関する。
【背景技術】
【０００２】
透明プラスチックと板紙を組み合わせてなるブリスター包装体に、照明器具を収納して、販売場所に陳列展示することが知られている（特許文献１）。
【０００３】
特許文献１に開示されたブリスター包装体は、透明プラスチックを照明器具の外形に合わせて成形した収納部を板紙に装着してなり、該収納部に照明器具を収納するので、収納された照明器具の外形を、包装体の外部から十分に視認できる。
【０００４】
しかしながら、このブリスター包装体の収納部は、プラスチックで成形されるので、強度が低く、ブリスター包装体を積み上げて保管運搬すると、収納部に変形や破損が生ずるという問題があった。また、二酸化炭素排出量の削減を目指す昨今の社会情勢からも、包装体に使用されるプラスチック量は、出来る限り削減されるのが望ましい。
【０００５】
また、板紙を折り曲げて組み立てられて、六面体を形成してなる包装箱は、十分な強度を確保でき、プラスチックの使用量を削減できるが、包装箱の外部から収納物を視認できない。
【０００６】
そこで、特許文献２では、板紙を折り曲げて組み立てられた包装箱の側面の一部を切り明けて、開口窓を設けることを提案している。この包装箱は、プラスチック製のブリスター包装体に比べて高い強度が得られるし、包装箱の外部から収納物を視認できる。
【先行技術文献】
【特許文献】
【０００７】
【特許文献１】特開平１１−３４９０４２号公報
【特許文献２】登録実用新案第３００８９１５号公報
【発明の概要】
【発明が解決しようとする課題】
【０００８】
しかしながら、特許文献２の包装箱の開口窓は、いずれか一面の側面に開口するので、ブリスター包装体に比べると、視認性はまだ十分でないという問題があった。
【０００９】
本発明は、上記実情に鑑みてなされたものであり、高い視認性と強度を両立させた包装箱を提供することを目的とする。
【課題を解決するための手段】
【００１０】
本発明に係る包装箱は、一枚の板紙から組み立てられて六面体状をなすとともに、切り抜き窓を有する包装箱において、前記切り抜き窓は、前記六面体のいずれか１の面に開口するとともに、前記１の面のいずれかの辺を越えて、前記辺を前記１の面と共有する第２の面まで連続して開口していることを特徴とする。
【発明の効果】
【００１１】
本発明によれば、隣接する２枚以上の面に連続して開口される切り抜き窓を介して、収納物の外形を十分に視認できる。また、高い強度を有するので、包装箱を積み上げても、変形や破損が生じる虞がない。
【図面の簡単な説明】
【００１２】
【図１】本発明の第１の実施形態に係る包装箱の外形図であり、（ａ）は組み立てた状態を示す斜視図、（ｂ）は展開図、（ｃ）は底面図をそれぞれ示す。
【図２】本発明の第１の実施形態に係る包装箱の使用状態を示す斜視図である。
【図３】本発明の第２の実施形態に係る包装箱の展開図である。
【図４】本発明の第２の実施形態に係る包装箱の外形図であり、（ａ）は斜視図、（ｂ）、（ｃ）は側面図をそれぞれ示す。
【図５】本発明の第３の実施形態に係る透明シートの外形図であり、（ａ）は透明シート単体の斜視図、（ｂ）は透明シートを包装箱に取り付けた状態を示す斜視図をそれぞれ示す。
【図６】本発明の他の実施形態に係る包装箱の展開図である。
【発明を実施するための形態】
【００１３】
以下、本発明の具体的な実施形態を、図面を参照しながら説明する。
【００１４】
（第１の実施形態）
包装箱１は、図１（ａ）に示すような六面体をなす箱体であって、図１（ｂ）に示すような板紙を折り曲げて組み立てられる。また、包装箱１は、頂面２、底面３および側面４、５、６、７を備える。ここで、頂面２は、包装箱１を販売場所に陳列展示するときに、上になる面であり、底面３は下になる面である。また、側面４、５、６、７は、頂面２と底面３の間にあって、両者を連結する面である。また、包装箱１は、切り抜き窓８を備えている。
【００１５】
頂面２は、図１（ｂ）に示すように、側面５に接続されて、折辺５ａを側面５と共有し、折辺５ａにおいて、側面５に対して直角になるように、折り曲げられる。
【００１６】
側面４、５、６、７の下方には、蓋片９、１０、１１、１２が、それぞれ接続されて、折辺４ｂ、５ｂ、６ｂ、７ｂを、それぞれ蓋片９、１０、１１、１２と共有している。蓋片９、１０、１１、１２は、それぞれ折辺４ｂ、５ｂ、６ｂ、７ｂにおいて、それぞれ側面４、５、６、７に対して直角になるように折り曲げられるとともに、互いに係合して、底面３を形成する（図１（ｃ）参照）。
【００１７】
切り抜き窓８は、側面５から始まり、側面５と側面６の境界の辺（側面５と側面６が共有する辺）を越えて、側面６に達し、側面５および側面６に開口している。
【００１８】
側面４の左方には、図１（ｂ）に示すように、折辺４ｃを側面４と共有する糊代１３が接続されている。また、糊代１３は、折辺４ｃにおいて、側面４に対して直角になるように折り曲げられて、側面７に重ねられて接着される。
【００１９】
側面７は、図１（ａ）に示すように、頂面２の上方に伸びるヘッダー部１４を形成している。また、ヘッダー部１４には、フック穴１５、１６が開口している。
【００２０】
また、ヘッダー部１４は、折辺１４ａ（図１（ｂ）参照）で折り返されて、２枚の板紙が重ねられて、強度が高められている。
【００２１】
包装箱１は、図２に示すように、照明器具１７を収納して、図示しない陳列棚に取り付けられたフック１８、１９を、フック穴１５、１６に通して、該陳列棚に吊り下げられる。先述したように、包装箱１には、側面５から側面６まで連続して、切り抜き窓８が大きく開口されているので、切り抜き窓８を通じて、照明器具１７を十分に視認できる。なお、包装箱１に収納される照明器具１７は、直管形の蛍光灯を装着する長尺の蛍光灯照明器具である。
【００２２】
また、包装箱１は、板紙を素材とする箱体なので、変形や破損が生じない程度の剛性や強度を持たせることが容易である。また、ヘッダー部１４は、板紙が折り返されて二重に重ねられているので、フック１８、１９をフック穴１５、１６に通しても、フック穴１５、１６が裂ける危険は小さい。
【００２３】
また、底面３は、４つの蓋片９、１０、１１、１２が互いに係合されて形成されるので、底面に垂直な方向の荷重に対して強い。そのため、照明器具１７の重量で底面３が抜け落ちることはない。
【００２４】
（第２の実施形態）
第１の実施形態では、側面５から側面６まで連続して開口された切り抜き窓８を備える例について示したが、さらに大きな切り抜き窓８を包装箱１に備えてもよい。例えば、図３に示すように、側面４から始まって、側面５を通って、さらに側面６に達するように切り抜かれた切り抜き窓８を包装箱１に備えてもよい。
【００２５】
この包装箱１では、図４（ａ）〜（ｃ）に示すように、大きな切り抜き窓８を通じて、包装箱１の内部に収納された照明器具１７を、さらに十分に視認することができる。
【００２６】
（第３の実施形態）
また、切り抜き窓８を透明フィルム２０でカバーしてもよい。
【００２７】
透明フィルム２０は、プラスチックシートを、図５（ａ）に示すような形状に切り出して、Ｌ字状に折り曲げられて形成される。また、透明フィルム２０の両端には、一対の張出部２１、２２が備えられる。なお、透明フィルム２０は、切り抜き窓８の全体をカバーするように、切り抜き窓８よりも大きな寸法とする。
【００２８】
透明フィルム２０は、図５（ｂ）に示すように、包装箱１の内側に装着されて、切り抜き窓８をカバーする。このとき、張出部２１、２２は、側面５に設けた切り込み部２３、２４に差し込まれて、透明フィルム２０を包装箱１に固定する。
【００２９】
本明細書に開示した実施形態は、本発明の具体的実施形態の例示にすぎない。つまり、本発明の技術的範囲は、本明細書に開示した実施形態に限定されない。本発明は、特許請求の範囲に記載された技術的思想の範囲において、自在に変形、応用あるいは改良して実施できることは言うまでもない。
【００３０】
例えば、本明細書では、包装箱１に直管形の蛍光ランプを装着する長尺の蛍光灯照明器具を収納する例について示したが、包装箱１に収納される物品は、蛍光灯照明器具に限定されないし、長尺の物品にも限定されない。種々の形状と寸法を有する種々の物品の収納に使用することができる。
【００３１】
また、本明細書に開示した包装箱１の寸法や形状は例示であって、本発明の技術的範囲は、このような寸法や形状に限定されない。収納物の寸法や形状に応じて、適切な寸法や形状を選ぶことができる。
【００３２】
また、先述の各実施形態では、側面４に糊代１３を接続して、糊代１３と側面７を接着して包装箱１を組み立てる例を示したが、本発明の技術的範囲は、接着工程を経て製造するものに限定されない。図６に展開図で示すように、側面７の端部から突出する差込片２５と、側面４と糊代１３の境界の辺に切り明けられた差込口２６を備えて構成し、差込片２５を差込口２６に差し込めば、接着工程を省略することができる。
【符号の説明】
【００３３】
１  包装箱
２  頂面
３  底面
４、５、６、７  側面
８  切り抜き窓
９、１０、１１、１２  蓋片
１３  糊代
１４  ヘッダー部
４ｂ、４ｃ、５ａ、５ｂ、６ｂ、７ｂ、１４ａ  折辺
１５、１６  フック穴
１７  照明器具
１８、１９  フック
２０  透明フィルム
２１、２２  張出部
２３、２４  切り込み部
２５  差込片
２６  差込口
【図１】
2011105321.tif 000003
【図２】
2011105321.tif 000004
【図３】
2011105321.tif 000005
【図４】
2011105321.tif 000006
【図５】
2011105321.tif 000007
【図６】
2011105321.tif 000008